(57)【要約】      （修正有）【課題】手で操作しながら後背部の患部に軟膏薬を塗付するに関する器具を提供する。【解決手段】太鼓状物件胴体１全面に着脱可能な面ファスナーテープＡ面を接着剤で貼り付け、面ファスナーテープＢの片面に軟膏薬を塗付できる素材を接着剤で貼り付け、面ファスナーにより、必要に応じて簡単に着脱ができるようにする。太鼓状物件胴体１の側面を刳り抜き内面は薄膜加工を施し、穴両面を蓋５で塞ぎ、使用後剥奪した、面ファスナーテープＢ面、または予備品を収納し清潔を保つ。太鼓状物件胴体１下部に固着された器具操作用伸縮棒の内筒６を外筒７に対して上下動させて長さを調整し、ボルト８を締め付けて内筒６を固定する。太鼓状物件胴体１全面に装着された、軟膏薬を塗付できる素材に軟膏薬を塗り、器具操作用伸縮棒を手で操作しながら後背部に軟膏薬を塗付する。【選択図】図１
2010194289.tif 000002
【特許請求の範囲】
【請求項１】
イ  太鼓状物件胴体全面に着脱可能なＡ、Ｂ２面を有する面ファスナーテープＡ面を接着剤で貼り付ける。
ロ  面ファスナーテープＢ片面に軟膏薬を塗付できる素材を接着剤で貼り付け、この反対面を太鼓状物件胴体全面に貼り付けた面ファスナーテープＡ面に装着する。
必要に応じて簡単に着脱ができることを特徴とする。
【請求項２】
太鼓状物件胴体の側面を刳り抜き、内面は薄膜加工を施し、穴両面を蓋で塞ぎ太鼓状物件胴体全面に貼り付けられた面ファスナーテープＡ面から使用後剥奪した面ファスナーテープＢ面、または予備品が収納でき衛生面から清潔が保てることを特徴とする。
【請求項３】
請求項１、２、の使用条件を満足するため、内、外筒に２分された器具操作用伸縮棒を作製し、この内筒を太鼓状物件胴体の下部に固着する。
イ  器具操作用伸縮棒内筒は、外筒の中を上、下動し、長さを調整して後背部に楽に太鼓状物件胴体が届く装置である。
ロ  器具操作用伸縮棒外筒上部にボルト穴を穿ち、ボルトを通してこれを締め付けて内筒の回転および上、下動の固定ができることを特徴とする。
以上  請求項１、２、３の構成からなる後背部軟膏塗付器具
【発明の詳細な説明】
【技術分野】
【０００１】  本発明は、太鼓状物件胴体全面に軟膏薬を塗付した面ファスナーテープを装着し、これを太鼓状物件胴体下部に固着された器具操作用伸縮棒を手で操作して、後背部の患部に軟膏薬を塗付する器具に関するものである。
【背景技術】
【０００２】  従来  後背部を掻く器具は市販で目にすることは出来るが、軟膏薬を後背部に塗る器具は関連店頭で見当らない。
【発明の開示】
【発明が解決しようとする課題】
【０００３】  そのために  従来他人の手を煩わして後背部に軟膏薬を塗付して貰っていたが、今後高齢者社会、核家族化社会が進むにつれ、１人暮らしの住民が多くなることが予想され、時に夜間他人の手を煩わす問題点、焦躁感を解決するために発明したものである。
【課題を解決するための手段】
【０００４】１  イ  太鼓状物件胴体全面に着脱可能なＡ、Ｂ２面を有する面ファスナーテープＡ面を接着剤で貼付する。
ロ  面ファスナーテープＢ片面に軟膏薬を塗付できる素材を接着剤で貼り付け、この反対面を太鼓状物件胴体全面に貼り付けた面ファスナーテープＡ面に装着する。
必要に応じて簡単に着脱ができることを特徴とする。
２      太鼓状物件胴体の側面を刳り抜き、内面は薄膜加工を施し、穴両面を蓋で塞ぎこの穴を太鼓状物件胴体全面に貼り付けられた面ファスナーテープＡ面から使用後剥奪した面ファスナーテープＢ面、または予備品を収納することで衛生面から清潔が保てることを特徴とする。
太鼓状物件は、化学物質により型成して１体化することも考えられる。
３  イ  内、外筒に２分された器具操作用伸縮棒を作製し  この内筒を太鼓状物件胴体の下部に固着する。
ロ  太鼓状物件胴体下部に固着した器具操作用伸縮棒の内筒が外筒の中を上、下動することから器具操作用伸縮棒の長さを調整し、後背部に楽々太鼓状物件胴体が届く装置である。
ハ  器具操作用伸縮棒内筒の長さの調整、ならびに内筒に接続する太鼓状物件胴体の回転を阻止するため、外筒上部にボルト穴を穿ち、ボルトを通して締め付けて内筒の回転、上、下動の固定ができることを特徴とする。
これとは別に、外筒上部にネジ山を切り、また切込溝を設け、外筒覆ナットのネジ山部分に傾斜を施し、ナットを締めることにより外筒が圧迫され内筒の回転、上、下動を阻止できることが考えられる。
４      太鼓状物件胴体全面に貼り付けられた面ファスナーテープＡ面に装着された軟膏薬塗付素材の面ファスナーテープＢ面に軟膏薬を塗り、太鼓状物件胴体下部に固着された器具操作用伸縮棒内筒の長さを調整して手で操作を行ないながら後背部に軟膏薬を塗付して問題点を解決するものである。
【発明の効果】
【０００５】  太鼓状物件を使用したことにより患部えの接触感覚が平板状と異なり柔らかく滑らかに感ずること、および他人の手を煩わさず１人で行ない得ることから満足感、快感が得られた。
【発明を実施するための最良の形態】
【０００６】  以下  本発明の実施の形態について説明する。
形態を太鼓状物件と定めたのは、平板状と異なり患部えの接触が柔らかく、滑らかであること。
１  イ  太鼓状物件胴体（１）全面に着脱可能なＡ、Ｂ２面を有する面ファスナーテープＡ面（２）を接着剤で貼り付ける。
ロ  面ファスナーテープＢ（３）片面に軟膏薬を塗付できる素材を接着剤で貼り付け、この反対面を太鼓状物件胴体（１）全面に貼り付けた面ファスナーテープＡ面（２）に装着する。
必要に応じて簡単に着脱ができることを特徴とする。
２      太鼓状物件胴体の側面を刳り抜き（４）内面は薄膜加工を施し、穴両面を蓋（５）で塞ぎこの穴を、太鼓状物件胴体（１）全面に貼り付けられた面ファスナーテープＡ面（２）から使用後剥奪した面ファスナーテープＢ面（３）または予備品を収納することで衛生面から清潔が保てることを特徴とする。
太鼓状物件は、化学的物質により型成して１体化することも考えられる。
３  イ  内、外筒に２分された器具操作用伸縮棒を作製し、この内筒（６）を太鼓状物件胴体（１）の下部に固着する。
ロ  太鼓状物件胴体（１）下部に固着した器具操作用伸縮棒の内筒（６）が外筒（７）の中を上、下動することから器具操作用伸縮棒の長さを調整し、後背部も楽に太鼓状物体（１）が届く装置になっておる。
ハ  器具操作用伸縮棒内筒（６）の長さの調整、ならびに内筒（６）に接続する太鼓状物件胴体（１）の回転、を阻止するため、器具操作用伸縮棒外筒（７）上部にボルト穴を穿ち、ボルト（８）を通して締め付けて器具操作用伸縮棒内筒（６）の回転、上、下動の固定がてきることを特徴とする。
これとは別に、外筒（７）上部にネジ山を切り、また外筒上部（７）に切込溝を設け、外筒覆ナット（１０）のネジ山部分に傾斜を施しナットを締めることにより外筒（７）
2010194289.tif 000003
転、上、下動を阻止できると考えられる。
４      太鼓状物件胴体（１）全面に貼り付けられた面ファスナーテープＡ面（２）に装着された軟膏薬塗付素材の面ファスナーテープＢ面（３）に軟膏薬を塗り、太鼓状物件胴体（１）下部に固着された器具操作用伸縮棒内筒（６）の長さを調整して手で操作を行ないながら後背部に軟膏薬を塗付して問題点を解決するものである。
【図面の簡単な説明】
【０００７】
【図１】  本発明の斜視図
【図２】  本発明の側面断面図
【図３】  本発明の他の実施例を示す側面拡大図
【符号の説明】
【０００８】  １    太鼓状物件胴体
２    面ファスナーテープＡ面
３    軟膏薬を塗付できる素材を貼り付けた面ファスナーテープＢ面
４    刳り抜き穴
５    刳り抜き穴蓋
６    器具操作用伸縮棒内筒
７    器具操作用伸縮棒外筒
８    器具操作用伸縮棒内筒固定ボルト
９    器具操作用伸縮棒外筒覆
１０    ネジ山に傾斜を付けた外筒締付けナット
１１    器具操作用伸縮棒外筒に入れた切込溝およびネジ山
【図１】
2010194289.tif 000004
【図２】
2010194289.tif 000005
【図３】
2010194289.tif 000006